(57)【要約】本発明は、ユーザ機器（ＵＥ）のランダムアクセス電力の制御方法、ＵＥ、及びコンピュータ記憶媒体を開示し、ただし、前記方法は、ネットワーク側から送信されるシステムブロードキャスト情報を受信するステップと、前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップと、前記ＵＥの速度に対応するスケーリングファクターに基づいて、前記ＵＥのランダムアクセス過程中の電力を補正し、ランダムアクセス過程中のプリアンブル送信タイミングを補正するステップとを含む。【選択図】図１
2021513761.tif 000002
【特許請求の範囲】
【請求項１】
ユーザ機器（ＵＥ）に適用される、ＵＥのランダムアクセス電力の制御方法であって、
ネットワーク側から送信されるシステムブロードキャスト情報を受信するステップと、
前記システムブロードキャスト情報から前記ＵＥの速度に対応するスケーリングファクターを取得し、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップと、
前記ＵＥの速度に対応するスケーリングファクターに基づいて、前記ＵＥのランダムアクセス過程中の電力を補正し、ランダムアクセス過程中のプリアンブル送信タイミングを補正するステップとを含む、
ＵＥのランダムアクセス電力の制御方法。
【請求項２】
前記ＵＥの速度に対応するスケーリングファクターを取得する前記ステップは、
前記ＵＥが移動速度に基づいてそれに対応する速度範囲を確定することと、
前記ＵＥに対応する速度範囲に基づいて、対応するスケーリングファクターを選択することとを含む、請求項１に記載の方法。
【請求項３】
前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む、請求項１に記載の方法。
【請求項４】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得することを含む、請求項３に記載の方法。
【請求項５】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得することを含む、請求項３に記載の方法。
【請求項６】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得することを含む、請求項３に記載の方法。
【請求項７】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得することを含む、請求項３に記載の方法。
【請求項８】
ネットワーク側に指示されたランダムアクセスバックオフとランダムアクセスバックオフのファクターとの乗算により、補正後のランダムアクセスバックオフ基準値を取得し、又は、ネットワーク側に指示されたランダムアクセスバックオフとランダムアクセスバックオフのオフセットとの加算により、補正後のランダムアクセスバックオフ基準値を取得することと、
補正後のランダムアクセスバックオフ基準値に基づいて、補正後のランダムアクセスバックオフ値を生成し、前記補正後のランダムアクセスバックオフ値が、ゼロより大きく、且つ前記補正後のランダムアクセスバックオフ基準値より小さいことと、をさらに含む、請求項３に記載の方法。
【請求項９】
ランダムに生成されたランダムアクセスバックオフとランダムアクセスバックオフのファクターとの乗算により、補正後のランダムアクセスバックオフを取得すること、
又は、ランダムに生成されたランダムアクセスバックオフとランダムアクセスバックオフのオフセットとの加算により、補正後のランダムアクセスバックオフを取得することをさらに含む、請求項３に記載の方法。
【請求項１０】
前記ＵＥのランダムアクセス過程中の電力を補正し、ランダムアクセス過程中のプリアンブル送信タイミングを補正することは、
補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定することを含む、請求項１〜請求項９のいずれか１項に記載の方法。
【請求項１１】
ネットワーク側から送信されるシステムブロードキャスト情報を受信する通信ユニットと、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含み、前記ＵＥの速度に対応するスケーリングファクターに基づいて、前記ＵＥのランダムアクセス過程中の電力を補正し、ランダムアクセス過程中のプリアンブル送信タイミングを補正する処理ユニットとを含む、ＵＥ。
【請求項１２】
前記処理ユニットは、移動速度に基づいてそれに対応する速度範囲を確定し、
前記ＵＥに対応する速度範囲に基づいて、対応するスケーリングファクターを選択する、請求項１１に記載のＵＥ。
【請求項１３】
前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む、請求項１１に記載のＵＥ。
【請求項１４】
前記処理ユニットは、ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得する、請求項１３に記載のＵＥ。
【請求項１５】
前記処理ユニットは、ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得する、請求項１３に記載のＵＥ。
【請求項１６】
前記処理ユニットは、ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得する、請求項１３に記載のＵＥ。
【請求項１７】
前記処理ユニットは、ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得する、請求項１３に記載のＵＥ。
【請求項１８】
前記処理ユニットは、ネットワーク側に指示されたランダムアクセスバックオフとランダムアクセスバックオフのファクターとの乗算により、補正後のランダムアクセスバックオフ基準値を取得し、又は、ネットワーク側に指示されたランダムアクセスバックオフとランダムアクセスバックオフのオフセットとの加算により、補正後のランダムアクセスバックオフ基準値を取得し、
補正後のランダムアクセスバックオフ基準値に基づいて、補正後のランダムアクセスバックオフ値を生成し、ただし、前記補正後のランダムアクセスバックオフ値が、ゼロより大きく、且つ前記補正後のランダムアクセスバックオフ基準値より小さい、請求項１３に記載のＵＥ。
【請求項１９】
前記処理ユニットは、ランダムに生成されたランダムアクセスバックオフとランダムアクセスバックオフのファクターとの乗算により、補正後のランダムアクセスバックオフを取得し、
又は、ランダムに生成されたランダムアクセスバックオフとランダムアクセスバックオフのオフセットとの加算により、補正後のランダムアクセスバックオフを取得する、請求項１３に記載のＵＥ。
【請求項２０】
前記処理ユニットは、補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定する、請求項１１〜１９のいずれか１項に記載のＵＥ。
【請求項２１】
ＵＥであって、プロセッサと、プロセッサ上で実行可能なコンピュータプログラムを格納するためのメモリとを含み、
前記プロセッサは、前記コンピュータプログラムが実行されると、請求項１〜１０のいずれか１項に記載の方法のステップを実行する、ＵＥ。
【請求項２２】
コンピュータ記憶媒体であって、コンピュータ実行可能なコマンドが格納されており、前記コンピュータ実行可能なコマンドが実行されると、請求項１〜１０のいずれか１項に記載の方法のステップが実施される、コンピュータ記憶媒体。
【発明の詳細な説明】
【技術分野】
【０００１】
本発明は、情報処理技術の分野に関し、特に、ユーザ機器（ＵＥ）のランダムアクセス電力の制御方法、ユーザ機器（ＵＥ）及びコンピュータ記憶媒体に関する。
【背景技術】
【０００２】
現在、ＮＲにおいて、システムブロードキャスト情報は、最小システム情報ＭＳＩ（ｍｉｎｉｍｕｍ  ｓｙｓｔｅｍ  ｉｎｆｏｒｍａｔｉｏｎ）と他のシステム情報ＯＳＩ（ｏｔｈｅｒ  ｓｙｓｔｅｍ  ｉｎｆｏｒｍａｔｉｏｎ）に分けられ、ただし、ＯＳＩは、従来の周期的に全部ブロードキャストされる方法ではなく、ＵＥのリクエストに基づいて、ネットワーク側から送信することができる。ＵＥのリクエストに対して、ランダムアクセス過程中のＭＳＧ１又はＭＳＧ３でネットワーク側に要求されたＯＳＩを指示できる。
【０００３】
移動速度が非常に速いＵＥに対しては、ＵＥが隣接セルを迅速に選択するため、ＯＳＩを可能な限り早く取得してｉｄｌｅモビリティ要件を満たす必要がある。シーンの切り替えに対し、切り替えの性能要件を満たすように高速に移動するＵＥも迅速に切り替える必要がある。したがって、高速ＵＥに対しては、ランダムアクセス時間を短縮する必要がある。
【発明の概要】
【発明が解決しようとする課題】
【０００４】
上記の技術問題を解決するために、本発明の実施例は、ユーザ機器（ＵＥ）のランダムアクセス電力の制御方法、ユーザ機器（ＵＥ）及びコンピュータ記憶媒体を提供する。
【課題を解決するための手段】
【０００５】
本発明の実施例は、ＵＥに適用されるユーザ機器ＵＥのランダムアクセス電力の制御方法を提供し、前記方法は、
ネットワーク側から送信されるシステムブロードキャスト情報を受信するステップと、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップと、
前記ＵＥの速度に対応するスケーリングファクターに基づいて、前記ＵＥのランダムアクセス過程中の電力を補正し、ランダムアクセス過程中のプリアンブル送信タイミングを補正するステップと、を含む。
【０００６】
本発明の実施例は、ＵＥを提供し、前記ＵＥは、
ネットワーク側から送信されるシステムブロードキャスト情報を受信する通信ユニットと、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含み、前記ＵＥの速度に対応するスケーリングファクターに基づいて、前記ＵＥのランダムアクセス過程中の電力を補正し、ランダムアクセス過程中のプリアンブル送信タイミングを補正する処理ユニットと、を含む。
【０００７】
本発明の実施例にて提供されるユーザ機器ＵＥは、プロセッサと、プロセッサ上で実行可能なコンピュータプログラムを格納するためのメモリとを含み、
ただし、前記プロセッサは、前記コンピュータプログラムが実行されると、前記方法のステップを実行するために用いられる。
【０００８】
本発明の実施例は、コンピュータ実行可能なコマンドを格納するコンピュータ記憶媒体を提供し、前記コンピュータ実行可能なコマンドが実行されると、前記方法のステップが実施される。
【発明の効果】
【０００９】
本発明の実施例の技術的解決手段は、ＵＥの速度に基づいて対応するスケーリングファクターを確定でき、さらにスケーリングファクターのうち、ＵＥがランダムアクセスを行う電力の調整パラメータ、電力ランピングステップサイズの調整パラメータ、及びランダムアクセスバックオフの調整パラメータのうち少なくとも１つのパラメータに基づいてランダムアクセス処理を行う。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【図面の簡単な説明】
【００１０】
【図１】本発明の実施例にかかるＵＥのランダムアクセス電力の制御方法のフローチャートである。
【図２】本発明の実施例にかかるユーザ機器の構成構造の模式図である。
【図３】本発明の実施例にかかるハードウェアアーキテクチャの模式図である。
【発明を実施するための形態】
【００１１】
本発明の実施例の特徴及び技術内容をより詳細に理解できるように、以下、添付図面を参照して本発明の実施例の実施について詳細に説明するが、添付図面は、参照して説明するためのものにすぎず、本発明の実施例を限定するものではない。
【００１２】
実施例１
本発明の実施例は、ＵＥに適用されるＵＥのランダムアクセス電力の制御方法を提供し、図１に示すように、前記方法は、
ネットワーク側から送信されるシステムブロードキャスト情報を受信するステップ１０１と、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップ１０２と、
前記ＵＥの速度に対応するスケーリングファクターに基づいて、前記ＵＥのランダムアクセス過程中の電力を補正し、ランダムアクセス過程中のプリアンブル送信タイミングを補正するステップ１０３と、を含む。
【００１３】
まず、ＵＥがネットワーク側から送信される情報を受信し、具体的には、ネットワーク側がシステムブロードキャストを介してＵＥの速度に基づくスケーリングファクターをブロードキャストすることを含み、
ただし、前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む。
【００１４】
具体的には、前記スケーリングファクターには、ランダムアクセスに用いられるＵＥの最初送信プリアンブルＰＲＥＡＭＢＬＥの受信目標電力のファクター又はオフセット、ランダムアクセス電力ランピングステップサイズのファクター又はオフセット、及びランダムアクセスバックオフのファクター又はオフセットのうち少なくとも１つを含む。
【００１５】
また、ネットワーク側から送信されるのは一連のスケーリングファクター、つまり複数のＵＥの速度、又は複数のＵＥの速度範囲に対応する異なるスケーリングファクターであってもよく、そして、ＵＥは自体の現在の移動速度に基づいて、対応するスケーリングファクターを選択して今回のランダムアクセスの補正を行うスケーリングファクターとすると理解することもでき、つまり、これは以下のようである。
前記ＵＥの速度に対応するスケーリングファクターを取得する前記ステップは、
前記ＵＥが移動速度に基づいてそれに対応する速度範囲を確定することと、
前記ＵＥに対応する速度範囲に基づいて、対応するスケーリングファクターを選択することとを含む。
【００１６】
ここで、ＵＥの速度は、相対値であってもよいし、ＵＥの速度の絶対値又は範囲であってもよく、１つのスケーリングファクター又はオフセットに対応する。例えば相対速度、例えば、ＵＥの移動状態の通常、中速、高速はそれぞれ１つのスケーリングファクター又はオフセットに対応する。ＵＥは速度がどのレベルかを判断し、どのファクターかを決定する。例えばａ  ｋｍ／ｈからｂ  ｋｍ／ｈまでのような絶対速度範囲は、１つのスケーリングファクター又はオフセットに対応し、ＵＥは、自体の実際の速度に基づいてどのスケーリングファクター又はオフセットを使用するかを決定する。
【００１７】
以下、前述のスケーリングファクターにおける様々なパラメータをどのように使用するかについて具体的に説明する。
【００１８】
１番目、最初送信プリアンブルの受信目標電力を補正する。
【００１９】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得すること、
又は、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得することを含む。
【００２０】
つまり、ＵＥは、ランダムアクセス過程に、ランダムにアクセスするＵＥの最初送信ｐｒｅａｍｂｌｅの受信目標電力を補正し、ランダムにアクセスするＵＥの最初送信ＰＲＥＡＭＢＬＥの受信目標電力は、システムブロードキャスト内でブロードキャストされるランダムにアクセスするＵＥの最初送信ＰＲＥＡＭＢＬＥの受信目標電力×ランダムにアクセスするＵＥの最初送信ＰＲＥＡＭＢＬＥの受信目標電力のファクター、又はシステムブロードキャスト内でブロードキャストされるランダムアクセスのＵＥ最初送信ＰＲＥＡＭＢＬＥの受信目標電力＋ランダムにアクセスするＵＥの最初送信ＰＲＥＡＭＢＬＥの受信目標電力のオフセットに補正される。
【００２１】
２番目、ＵＥがランダムアクセスを行うときの電力ランピングステップサイズを補正する。
【００２２】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得すること、
又は、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得することを含む。
【００２３】
ここで、電力ランピングステップサイズは、ＵＥがランダムにアクセスする過程にランダムアクセスの電力ランピングステップサイズを補正したものとして理解することができる。相応して、ＵＥがランダムアクセス過程にランダムアクセスの電力ランピングステップサイズを補正し、ランダムアクセスの電力ランピングステップサイズは、システムブロードキャスト内でブロードキャストされるランダムアクセスの電力ランピングステップサイズ×ランダムアクセスの電力ランピングステップサイズのファクター、又はシステムブロードキャスト内でブロードキャストされるランダムアクセスの電力ランピングステップサイズ＋ランダムアクセスの電力ランピングステップサイズのオフセットに補正される。
【００２４】
３番目、ランダムアクセスバックオフ値を補正する。
【００２５】
このような補正処理には、２つの方法を含んでよい。１番目の方法は、ネットワーク側に指示されたランダムアクセスバックオフとランダムアクセスバックオフのファクターとの乗算により、補正後のランダムアクセスバックオフ基準値を取得し、又はネットワーク側に指示されたランダムアクセスバックオフとランダムアクセスバックオフのオフセットとの加算により、補正後のランダムアクセスバックオフ基準値を取得し、
補正後のランダムアクセスバックオフ基準値に基づいて、補正後のランダムアクセスバックオフ値を生成し、ただし、前記補正後のランダムアクセスバックオフ値は、ゼロより大きく、且つ前記補正後のランダムアクセスバックオフ基準値より小さい方法である。
【００２６】
つまり、ＵＥがランダムアクセス過程でランダムアクセスバックオフを補正し、ランダムアクセスバックオフ基準値は、ＲＡＲで指示されるランダムアクセスバックオフ×ランダムアクセスバックオフのファクター、又は、ＲＡＲで指示されるランダムアクセスバックオフ＋ランダムアクセスバックオフのオフセットであり、
続いて、補正後のランダムアクセスバックオフ基準値に基づいて、０から補正後のランダムアクセスバックオフ値の間にある１つのランダムアクセスバックオフ値をランダムに生成する。
【００２７】
２番目の方法は、
ランダムに生成されたランダムアクセスバックオフとランダムアクセスバックオフのファクターとの乗算により、補正後のランダムアクセスバックオフを取得し、
又は、ランダムに生成されたランダムアクセスバックオフとランダムアクセスバックオフのオフセットとの加算により、補正後のランダムアクセスバックオフを取得する方法である。
【００２８】
１番目の方法との相違点は、この方法がランダムアクセスバックオフを直接計算で取得することであり、つまり、ＵＥがランダムアクセス過程でランダムアクセスバックオフを補正し、ランダムアクセスバックオフは、ランダムに生成されたランダムアクセスバックオフ×ランダムアクセスバックオフのファクター、又は、ランダムに生成されたランダムアクセスバックオフ＋ランダムアクセスバックオフのオフセットに補正される。
【００２９】
以上の説明に基づいて、補正後の最初送信プリアンブルの受信目標電力、補正後のＵＥがランダムアクセスを行うときの電力ランピングステップサイズ、及び補正後のランダムアクセスバックオフを取得して、ランダムアクセス中にプリアンブルの送信処理を行うことができ、具体的には、
補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定する。
【００３０】
つまり、補正後のプリアンブルの受信目標電力と補正後のＵＥがランダムアクセスを行うときの電力ランピングステップサイズとの加算により、プリアンブルの送信電力を取得できる。もちろん、他の処理方法も存在し、ここでは網羅的な説明を行わない。
【００３１】
上記の態様を採用することにより、ＵＥの速度に基づいて対応するスケーリングファクターを確定し、さらにスケーリングファクターのうち、ＵＥがランダムアクセスを行う電力の調整パラメータ、ステップサイズの調整パラメータ、及びランダムアクセスバックオフの調整パラメータのうち少なくとも１つのパラメータに基づいてランダムアクセス処理を行うことができることがわかる。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【００３２】
実施例２
本発明の実施例は、ＵＥを提供し、図２に示すように、前記方法は、
ネットワーク側から送信されるシステムブロードキャスト情報を受信する通信ユニット２１と、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、ステップサイズの調整パラメータ、及びランダムアクセスバックオフの調整パラメータのうち少なくとも１つを含み、前記ＵＥの速度に対応するスケーリングファクターに基づいて、前記ＵＥのランダムアクセス過程中の電力を補正し、ランダムアクセス過程中のプリアンブル送信タイミングを補正する処理ユニット２２とを含む。
【００３３】
まず、ＵＥがネットワーク側から送信される情報を受信することは、具体的には、ネットワーク側がシステムブロードキャストを介してＵＥの速度に基づくスケーリングファクターをブロードキャストすることを含み、
ただし、前記ＵＥがランダムアクセスを行う電力の調整パラメータは、前記ＵＥがランダムアクセスを行う最初送信プリアンブルの受信目標電力のファクター又はオフセットを含み、
前記ステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む。
【００３４】
具体的には、前記スケーリングファクターには、ランダムアクセスに用いられるＵＥの最初送信プリアンブルＰＲＥＡＭＢＬＥの受信目標電力のファクター又はオフセット、ランダムアクセス電力ランピングステップサイズのファクター又はオフセット、及びランダムアクセスバックオフのファクター又はオフセットのうち少なくとも１つを含む。
【００３５】
また、ネットワーク側から送信されるのは一連のスケーリングファクター、つまり複数のＵＥの速度、又は複数のＵＥの速度範囲に対応する異なるスケーリングファクターであってもよく、そして、ＵＥは自体の現在の移動速度に基づいて、対応するスケーリングファクターを選択して今回のランダムアクセスの補正を行うスケーリングファクターとすると理解することもでき、つまり、これは以下のようである。
前記処理ユニット２２は、移動速度に基づいてそれに対応する速度範囲を確定し、
前記ＵＥに対応する速度範囲に基づいて、対応するスケーリングファクターを選択する。
【００３６】
ここで、ＵＥの速度は、相対値であってもよいし、ＵＥの速度の絶対値又は範囲であってもよく、１つのスケーリングファクター又はオフセットに対応する。例えば相対速度、例えば、ＵＥの移動状態の通常、中速、高速はそれぞれ１つのスケーリングファクター又はオフセットに対応する。ＵＥは速度がどのレベルかを判断し、どのファクターかを決定する。例えばａ  ｋｍ／ｈからｂ  ｋｍ／ｈまでのような絶対速度範囲は、１つのスケーリングファクター又はオフセットに対応し、ＵＥは、自体の実際の速度に基づいてどのスケーリングファクター又はオフセットを使用するかを決定する。
【００３７】
以下、前述のスケーリングファクターにおける様々なパラメータをどのように使用するかについて具体的に説明する。
【００３８】
１番目、最初送信プリアンブルの受信目標電力を補正する。
【００３９】
前記処理ユニット２２は、ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得し、
又は、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得する。
【００４０】
つまり、ＵＥは、ランダムアクセス過程に、ランダムにアクセスするＵＥの最初送信ｐｒｅａｍｂｌｅの受信目標電力を補正し、ランダムにアクセスするＵＥの最初送信ＰＲＥＡＭＢＬＥの受信目標電力は、システムブロードキャスト内でブロードキャストされるランダムにアクセスするＵＥの最初送信ＰＲＥＡＭＢＬＥの受信目標電力×ランダムにアクセスするＵＥの最初送信ＰＲＥＡＭＢＬＥの受信目標電力のファクター、又は、システムブロードキャスト内でブロードキャストされるランダムアクセスのＵＥ最初送信ＰＲＥＡＭＢＬＥの受信目標電力＋ランダムにアクセスするＵＥの最初送信ＰＲＥＡＭＢＬＥの受信目標電力のオフセットに補正される。
【００４１】
２番目、ＵＥがランダムアクセスを行うときの電力ランピングステップサイズを補正する。
【００４２】
前記処理ユニット２２は、ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得し、
又は、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得する。
【００４３】
ここで、電力ランピングステップサイズは、ＵＥがランダムにアクセスする過程にランダムアクセスの電力ランピングステップサイズを補正したものとして理解することができる。相応して、ＵＥがランダムアクセス過程にランダムアクセスの電力ランピングステップサイズを補正し、ランダムアクセスの電力ランピングステップサイズは、システムブロードキャスト内でブロードキャストされるランダムアクセスの電力ランピングステップサイズ×ランダムアクセスの電力ランピングステップサイズのファクター、又は、システムブロードキャスト内でブロードキャストされるランダムアクセスの電力ランピングステップサイズ＋ランダムアクセスの電力ランピングステップサイズのオフセットに補正される。
【００４４】
３番目、ランダムアクセスバックオフ値を補正する。
【００４５】
このような補正処理には、２つの方法を含んでよい。１番目の方法は、処理ユニット２２が、ネットワーク側に指示されたランダムアクセスバックオフとランダムアクセスバックオフのファクターとの乗算により、補正後のランダムアクセスバックオフ基準値を取得し、又は、ネットワーク側に指示されたランダムアクセスバックオフとランダムアクセスバックオフのオフセットとの加算により、補正後のランダムアクセスバックオフ基準値を取得し、
補正後のランダムアクセスバックオフ基準値に基づいて、補正後のランダムアクセスバックオフ値を生成し、ただし、前記補正後のランダムアクセスバックオフ値が、ゼロより大きく、且つ前記補正後のランダムアクセスバックオフ基準値より小さい方法である。
【００４６】
つまり、ＵＥがランダムアクセス過程でランダムアクセスバックオフを補正し、ランダムアクセスバックオフ基準値は、ＲＡＲで指示されるランダムアクセスバックオフ×ランダムアクセスバックオフのファクター、又は、ＲＡＲで指示されるランダムアクセスバックオフ＋ランダムアクセスバックオフのオフセットであり、
続いて、補正後のランダムアクセスバックオフ基準値に基づいて、０から補正後のランダムアクセスバックオフ値の間にある１つのランダムアクセスバックオフ値をランダムに生成する。
【００４７】
２番目の方法は、
処理ユニット２２は、ランダムに生成されたランダムアクセスバックオフとランダムアクセスバックオフのファクターとの乗算により、補正後のランダムアクセスバックオフを取得し、
又は、ランダムに生成されたランダムアクセスバックオフとランダムアクセスバックオフのオフセットとの加算により、補正後のランダムアクセスバックオフを取得する方法である。
【００４８】
１番目の方法との相違点は、この方法がランダムアクセスバックオフを直接計算で取得することであり、つまり、ＵＥがランダムアクセス過程でランダムアクセスバックオフを補正し、ランダムアクセスバックオフは、ランダムに生成されたランダムアクセスバックオフ×ランダムアクセスバックオフのファクター、又は、ランダムに生成されたランダムアクセスバックオフ＋ランダムアクセスバックオフのオフセットに補正される。
【００４９】
以上の説明に基づいて、補正後の最初送信プリアンブルの受信目標電力、補正後のＵＥがランダムアクセスを行うときの電力ランピングステップサイズ、及び補正後のランダムアクセスバックオフを取得して、ランダムアクセス中にプリアンブルの送信処理を行うことができ、具体的には、
処理ユニット２２は、補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定する。
【００５０】
つまり、補正後のプリアンブルの受信目標電力と補正後のＵＥがランダムアクセスを行うときの電力ランピングステップサイズとの加算により、プリアンブルの送信電力を取得できる。もちろん、他の処理方法も存在し、ここでは網羅的な説明を行わない。
【００５１】
上記の態様を採用することにより、ＵＥの速度に基づいて対応するスケーリングファクターを確定し、さらにスケーリングファクターのうち、ＵＥがランダムアクセスを行う電力の調整パラメータ、ステップサイズの調整パラメータ、及びランダムアクセスバックオフの調整パラメータのうち少なくとも１つのパラメータに基づいてランダムアクセス処理を行うことができることがわかる。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【００５２】
本発明の実施例は、さらに、ユーザ機器のハードウェアアーキテクチャを提供し、図３に示すように、それは、少なくとも１つのプロセッサ３１と、メモリ３２と、少なくとも１つのネットワークインターフェース３３とを含む。各コンポーネントは、バスシステム３４を介して一体に結合される。バスシステム３４は、これらのコンポーネントの間の接続及び通信を実施するために用いられることが理解できる。バスシステム３４は、データバス以外に、電源バス、制御バス、及びステータス信号バスも含む。しかし、説明を分かりやすくするために、図３では、各種のバスをバスシステム３４と表記している。
【００５３】
本発明の実施例におけるメモリ３２は、揮発性メモリであっても、不揮発性メモリであってもよく、又は揮発性メモリと不揮発性メモリの両方とも含んでもよいことが理解できる。
【００５４】
いくつかの実施形態において、メモリ３２には、モジュール若しくはデータ構造、又はそれらのサブセット、又はそれらの拡張セットを実行可能であるオペレーティングシステム３２１及びアプリケーションプログラム３２２が格納される。
【００５５】
ただし、前記プロセッサ３１は、前記の実施例１の方法のステップを処理できるように構成されており、ここでは詳細な説明を省略する。
【００５６】
本発明の実施例は、コンピュータ記憶媒体を提供し、前記コンピュータ記憶媒体には、コンピュータで実行可能なコマンドが格納され、前記コンピュータ実行可能なコマンドが実行されると、前記実施例１の方法のステップが実施される。
【００５７】
本発明の実施例にかかる装置は、ソフトウェア機能モジュールの形態で実装されると同時に、独立した製品として販売または使用される場合、コンピュータ可読記憶媒体に格納されてもよい。このような理解に基づいて、本発明の実施例の技術的解決手段は、本質上、又は既存の技術に貢献がある部分が、ソフトウェア製品の形態で具現化されることができ、当該コンピュータソフトウェア製品は、記憶媒体に格納され、コンピュータ機器（パソコン、サーバ、又はネットワーク機器など）に本発明の各実施例の前記方法の全部又は一部を実行させるためのいくつかのコマンドを含む。前記記憶媒体は、ＵＳＢフラッシュメモリ、ポータブルハードディスク、読み取り専用メモリ（ＲＯＭ、Ｒｅａｄ  Ｏｎｌｙ  Ｍｅｍｏｒｙ）、磁気ディスクもしくはコンパクトディスクなど、プロクラムコードを格納できる様々な媒体を含む。こうすると、本発明の実施例は、ハードウェアとソフトウェアのいかなる特定の組み合わせにも限定されない。
【００５８】
相応して、本発明の実施例は、さらに、コンピュータプログラムを格納するコンピュータ記憶媒体を提供し、当該コンピュータプログラムは、本発明の実施例のデータスケジューリング方法を実行するように構成される。
【００５９】
本発明の好ましい実施例は、例示するために開示されたが、当業者であれば、種々な改良、追加、及び置き換えも可能であることを理解でき、したがって、本発明の範囲は上記の実施例に限定されない。
【図１】
2021513761.tif 000003
【図２】
2021513761.tif 000004
【図３】
2021513761.tif 000005
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用される、ＵＥのランダムアクセス電力の制御方法であって、
ネットワーク側から送信されるシステムブロードキャスト情報を受信するステップと、
前記システムブロードキャスト情報から前記ＵＥの速度に対応するスケーリングファクターを取得し、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップと、
前記ＵＥの速度に対応するスケーリングファクターに基づいて、前記ＵＥのランダムアクセス過程中の電力を補正し、ランダムアクセス過程中のプリアンブル送信タイミングを補正するステップとを含む、
ＵＥのランダムアクセス電力の制御方法。
【請求項２】
前記ＵＥの速度に対応するスケーリングファクターを取得する前記ステップは、
前記ＵＥが移動速度に基づいてそれに対応する速度範囲を確定することと、
前記ＵＥに対応する速度範囲に基づいて、対応するスケーリングファクターを選択することとを含む、請求項１に記載の方法。
【請求項３】
前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む、請求項１に記載の方法。
【請求項４】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得することを含む、請求項３に記載の方法。
【請求項５】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得することを含む、請求項３に記載の方法。
【請求項６】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得することを含む、請求項３に記載の方法。
【請求項７】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得することを含む、請求項３に記載の方法。
【請求項８】
ネットワーク側に指示されたランダムアクセスバックオフとランダムアクセスバックオフのファクターとの乗算により、補正後のランダムアクセスバックオフ基準値を取得し、又は、ネットワーク側に指示されたランダムアクセスバックオフとランダムアクセスバックオフのオフセットとの加算により、補正後のランダムアクセスバックオフ基準値を取得することと、
補正後のランダムアクセスバックオフ基準値に基づいて、補正後のランダムアクセスバックオフ値を生成し、前記補正後のランダムアクセスバックオフ値が、ゼロより大きく、且つ前記補正後のランダムアクセスバックオフ基準値より小さいことと、をさらに含む、請求項３に記載の方法。
【請求項９】
ランダムに生成されたランダムアクセスバックオフとランダムアクセスバックオフのファクターとの乗算により、補正後のランダムアクセスバックオフを取得すること、
又は、ランダムに生成されたランダムアクセスバックオフとランダムアクセスバックオフのオフセットとの加算により、補正後のランダムアクセスバックオフを取得することをさらに含む、請求項３に記載の方法。
【請求項１０】
前記ＵＥのランダムアクセス過程中の電力を補正し、ランダムアクセス過程中のプリアンブル送信タイミングを補正することは、
補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定することを含む、請求項１〜請求項９のいずれか１項に記載の方法。
【請求項１１】
ユーザ機器（ＵＥ）であって、プロセッサと、プロセッサ上で実行可能なコンピュータプログラムを格納するためのメモリとを含み、
前記プロセッサは、前記コンピュータプログラムが実行されると、請求項１〜１０のいずれか１項に記載の方法のステップを実行する、ＵＥ。
【請求項１２】
コンピュータ記憶媒体であって、コンピュータ実行可能なコマンドが格納されており、前記コンピュータ実行可能なコマンドが実行されると、請求項１〜１０のいずれか１項に記載の方法のステップが実施される、コンピュータ記憶媒体。
【手続補正２】
【補正対象書類名】明細書
【補正対象項目名】全文
【補正方法】変更
【補正の内容】
【発明の詳細な説明】
【技術分野】
【０００１】
本開示は、情報処理技術の分野に関し、特に、ユーザ機器（Ｕｓｅｒ  ｅｑｕｉｐｍｅｎｔ、ＵＥ）のランダムアクセス電力の制御方法、ＵＥ及びコンピュータ記憶媒体に関する。
【背景技術】
【０００２】
現在、新ラジオ（Ｎｅｗ  Ｒａｄｉｏ、ＮＲ）において、システムブロードキャスト情報は、最小システム情報（ｍｉｎｉｍｕｍ  ｓｙｓｔｅｍ  ｉｎｆｏｒｍａｔｉｏｎ、ＭＳＩ）と他のシステム情報（ｏｔｈｅｒ  ｓｙｓｔｅｍ  ｉｎｆｏｒｍａｔｉｏｎ、ＯＳＩ）に分けられ、ただし、ＯＳＩは、従来の周期的に全部ブロードキャストされる方法ではなく、ＵＥのリクエストに基づいて、ネットワーク側から送信することができる。ＵＥのリクエストに対して、ランダムアクセス過程中のＭＳＧ１又はＭＳＧ３でネットワーク側に要求されたＯＳＩを指示できる。
【０００３】
移動速度が非常に速いＵＥに対しては、ＵＥが隣接セルを迅速に選択するため、ＯＳＩを可能な限り早く取得してアイドル状態（ｉｄｌｅ）モビリティ要件を満たす必要がある。シーンの切り替えに対し、切り替えの性能要件を満たすように高速に移動するＵＥも迅速に切り替える必要がある。したがって、高速ＵＥに対しては、ランダムアクセス時間を短縮する必要がある。
【発明の概要】
【発明が解決しようとする課題】
【０００４】
上記の技術問題を解決するために、本開示の実施例は、ＵＥのランダムアクセス電力の制御方法、ＵＥ及びコンピュータ記憶媒体を提供する。
【課題を解決するための手段】
【０００５】
本開示の実施例は、ＵＥに適用されるユーザ機器ＵＥのランダムアクセス電力の制御方法を提供し、前記方法は、
ネットワーク側から送信されるシステムブロードキャスト情報を受信するステップと、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップと、
前記ＵＥの速度に対応するスケーリングファクターに基づいて、前記ＵＥのランダムアクセス過程中の電力を補正し、ランダムアクセス過程中のプリアンブル送信タイミングを補正するステップと、を含む。
【０００６】
本開示の実施例は、ＵＥを提供し、前記ＵＥは、
ネットワーク側から送信されるシステムブロードキャスト情報を受信する通信ユニットと、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含み、前記ＵＥの速度に対応するスケーリングファクターに基づいて、前記ＵＥのランダムアクセス過程中の電力を補正し、ランダムアクセス過程中のプリアンブル送信タイミングを補正する処理ユニットと、を含む。
【０００７】
本開示の実施例にて提供されるユーザ機器ＵＥは、プロセッサと、プロセッサ上で実行可能なコンピュータプログラムを格納するためのメモリとを含み、
ただし、前記プロセッサは、前記コンピュータプログラムが実行されると、前記方法のステップを実行するために用いられる。
【０００８】
本開示の実施例は、コンピュータ実行可能なコマンドを格納するコンピュータ記憶媒体を提供し、前記コンピュータ実行可能なコマンドが実行されると、前記方法のステップが実施される。
【発明の効果】
【０００９】
本開示の実施例の技術的解決手段は、ＵＥの速度に基づいて対応するスケーリングファクターを確定でき、さらにスケーリングファクターのうち、ＵＥがランダムアクセスを行う電力の調整パラメータ、電力ランピングステップサイズの調整パラメータ、及びランダムアクセスバックオフの調整パラメータのうち少なくとも１つのパラメータに基づいてランダムアクセス処理を行う。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【図面の簡単な説明】
【００１０】
【図１】本開示の実施例にかかるＵＥのランダムアクセス電力の制御方法のフローチャートである。
【図２】本開示の実施例にかかるユーザ機器の構成構造の模式図である。
【図３】本開示の実施例にかかるハードウェアアーキテクチャの模式図である。
【発明を実施するための形態】
【００１１】
本開示の実施例の特徴及び技術内容をより詳細に理解できるように、以下、添付図面を参照して本開示の実施例の実施について詳細に説明するが、添付図面は、参照して説明するためのものにすぎず、本開示の実施例を限定するものではない。
【００１２】
実施例１
本開示の実施例は、ＵＥに適用されるＵＥのランダムアクセス電力の制御方法を提供し、図１に示すように、前記方法は、
ネットワーク側から送信されるシステムブロードキャスト情報を受信するステップ１０１と、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含むステップ１０２と、
前記ＵＥの速度に対応するスケーリングファクターに基づいて、前記ＵＥのランダムアクセス過程中の電力を補正し、ランダムアクセス過程中のプリアンブル送信タイミングを補正するステップ１０３と、を含む。
【００１３】
まず、ＵＥがネットワーク側から送信される情報を受信し、具体的には、ネットワーク側がシステムブロードキャストを介してＵＥの速度に基づくスケーリングファクターをブロードキャストすることを含み、
ただし、前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む。
【００１４】
具体的には、前記スケーリングファクターには、ランダムアクセスに用いられるＵＥの最初送信プリアンブルＰＲＥＡＭＢＬＥの受信目標電力のファクター又はオフセット、ランダムアクセス電力ランピングステップサイズのファクター又はオフセット、及びランダムアクセスバックオフのファクター又はオフセットのうち少なくとも１つを含む。
【００１５】
また、ネットワーク側から送信されるのは一連のスケーリングファクター、つまり複数のＵＥの速度、又は複数のＵＥの速度範囲に対応する異なるスケーリングファクターであってもよく、そして、ＵＥは自体の現在の移動速度に基づいて、対応するスケーリングファクターを選択して今回のランダムアクセスの補正を行うスケーリングファクターとすると理解することもでき、つまり、これは以下のようである。
前記ＵＥの速度に対応するスケーリングファクターを取得する前記ステップは、
前記ＵＥが移動速度に基づいてそれに対応する速度範囲を確定することと、
前記ＵＥに対応する速度範囲に基づいて、対応するスケーリングファクターを選択することとを含む。
【００１６】
ここで、ＵＥの速度は、相対値であってもよいし、ＵＥの速度の絶対値又は範囲であってもよく、１つのスケーリングファクター又はオフセットに対応する。例えば相対速度、例えば、ＵＥの移動状態の通常、中速、高速はそれぞれ１つのスケーリングファクター又はオフセットに対応する。ＵＥは速度がどのレベルかを判断し、どのファクターかを決定する。例えばａ  ｋｍ／ｈからｂ  ｋｍ／ｈまでのような絶対速度範囲は、１つのスケーリングファクター又はオフセットに対応し、ＵＥは、自体の実際の速度に基づいてどのスケーリングファクター又はオフセットを使用するかを決定する。
【００１７】
以下、前述のスケーリングファクターにおける様々なパラメータをどのように使用するかについて具体的に説明する。
【００１８】
１番目、最初送信プリアンブルの受信目標電力を補正する。
【００１９】
前記ＵＥの速度に対応するスケーリングファクターに基づいて、前記ＵＥのランダムアクセス過程中の電力を補正することは、
ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得すること、
又は、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得することを含む。
【００２０】
つまり、ＵＥは、ランダムアクセス過程に、ランダムにアクセスするＵＥの最初送信ＰＲＥＡＭＢＬＥの受信目標電力を補正し、ランダムにアクセスするＵＥの最初送信ＰＲＥＡＭＢＬＥの受信目標電力は、システムブロードキャスト内でブロードキャストされるランダムにアクセスするＵＥの最初送信ＰＲＥＡＭＢＬＥの受信目標電力×ランダムにアクセスするＵＥの最初送信ＰＲＥＡＭＢＬＥの受信目標電力のファクター、又はシステムブロードキャスト内でブロードキャストされるランダムアクセスのＵＥ最初送信ＰＲＥＡＭＢＬＥの受信目標電力＋ランダムにアクセスするＵＥの最初送信ＰＲＥＡＭＢＬＥの受信目標電力のオフセットに補正される。
【００２１】
２番目、ＵＥがランダムアクセスを行うときの電力ランピングステップサイズを補正する。
【００２２】
前記ＵＥの速度に対応するスケーリングファクターに基づいて、前記ＵＥのランダムアクセス過程中の電力を補正することは、
ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得すること、
又は、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得することを含む。
【００２３】
ここで、電力ランピングステップサイズは、ＵＥがランダムにアクセスする過程にランダムアクセスの電力ランピングステップサイズを補正したものとして理解することができる。相応して、ＵＥがランダムアクセス過程にランダムアクセスの電力ランピングステップサイズを補正し、ランダムアクセスの電力ランピングステップサイズは、システムブロードキャスト内でブロードキャストされるランダムアクセスの電力ランピングステップサイズ×ランダムアクセスの電力ランピングステップサイズのファクター、又はシステムブロードキャスト内でブロードキャストされるランダムアクセスの電力ランピングステップサイズ＋ランダムアクセスの電力ランピングステップサイズのオフセットに補正される。
【００２４】
３番目、ランダムアクセスバックオフ値を補正する。
【００２５】
このような補正処理には、２つの方法を含んでよい。１番目の方法は、ネットワーク側に指示されたランダムアクセスバックオフとランダムアクセスバックオフのファクターとの乗算により、補正後のランダムアクセスバックオフ基準値を取得し、又はネットワーク側に指示されたランダムアクセスバックオフとランダムアクセスバックオフのオフセットとの加算により、補正後のランダムアクセスバックオフ基準値を取得し、
補正後のランダムアクセスバックオフ基準値に基づいて、補正後のランダムアクセスバックオフ値を生成し、ただし、前記補正後のランダムアクセスバックオフ値は、ゼロより大きく、且つ前記補正後のランダムアクセスバックオフ基準値より小さい方法である。
【００２６】
つまり、ＵＥがランダムアクセス過程でランダムアクセスバックオフを補正し、ランダムアクセスバックオフ基準値は、ランダムアクセス応答（ｒａｎｄｏｍ  ａｃｃｅｓｓ  ｒｅｓｐｏｎｓｅ、ＲＡＲ）で指示されるランダムアクセスバックオフ×ランダムアクセスバックオフのファクター、又は、ＲＡＲで指示されるランダムアクセスバックオフ＋ランダムアクセスバックオフのオフセットであり、
続いて、補正後のランダムアクセスバックオフ基準値に基づいて、０から補正後のランダムアクセスバックオフ基準値の間にある１つのランダムアクセスバックオフ値をランダムに生成する。
【００２７】
２番目の方法は、
ランダムに生成されたランダムアクセスバックオフとランダムアクセスバックオフのファクターとの乗算により、補正後のランダムアクセスバックオフを取得し、
又は、ランダムに生成されたランダムアクセスバックオフとランダムアクセスバックオフのオフセットとの加算により、補正後のランダムアクセスバックオフを取得する方法である。
【００２８】
１番目の方法との相違点は、この方法がランダムアクセスバックオフを直接計算で取得することであり、つまり、ＵＥがランダムアクセス過程でランダムアクセスバックオフを補正し、ランダムアクセスバックオフは、ランダムに生成されたランダムアクセスバックオフ×ランダムアクセスバックオフのファクター、又は、ランダムに生成されたランダムアクセスバックオフ＋ランダムアクセスバックオフのオフセットに補正される。
【００２９】
以上の説明に基づいて、補正後の最初送信プリアンブルの受信目標電力、補正後のＵＥがランダムアクセスを行うときの電力ランピングステップサイズ、及び補正後のランダムアクセスバックオフを取得して、ランダムアクセス中にプリアンブルの送信処理を行うことができ、具体的には、
補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定する。
【００３０】
つまり、補正後のプリアンブルの受信目標電力と補正後のＵＥがランダムアクセスを行うときの電力ランピングステップサイズとの加算により、プリアンブルの送信電力を取得できる。もちろん、他の処理方法も存在し、ここでは網羅的な説明を行わない。
【００３１】
上記の態様を採用することにより、ＵＥの速度に基づいて対応するスケーリングファクターを確定し、さらにスケーリングファクターのうち、ＵＥがランダムアクセスを行う電力の調整パラメータ、ステップサイズの調整パラメータ、及びランダムアクセスバックオフの調整パラメータのうち少なくとも１つのパラメータに基づいてランダムアクセス処理を行うことができることがわかる。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【００３２】
実施例２
本開示の実施例は、ＵＥを提供し、図２に示すように、前記ＵＥは、
ネットワーク側から送信されるシステムブロードキャスト情報を受信する通信ユニット２１と、
前記システムブロードキャスト情報から前記ＵＥの速度に対応するスケーリングファクターを取得し、ただし、前記ＵＥの速度に対応するスケーリングファクターは、ＵＥがランダムアクセスを行う電力の調整パラメータ、電力ランピングステップサイズの調整パラメータ、及びランダムアクセスバックオフの調整パラメータのうち少なくとも１つを含み、前記ＵＥの速度に対応するスケーリングファクターに基づいて、前記ＵＥのランダムアクセス過程中の電力を補正し、ランダムアクセス過程中のプリアンブル送信タイミングを補正する処理ユニット２２とを含む。
【００３３】
まず、ＵＥがネットワーク側から送信される情報を受信することは、具体的には、ネットワーク側がシステムブロードキャストを介してＵＥの速度に基づくスケーリングファクターをブロードキャストすることを含み、
ただし、前記ＵＥがランダムアクセスを行う電力の調整パラメータは、前記ＵＥがランダムアクセスを行う最初送信プリアンブルの受信目標電力のファクター又はオフセットを含み、
前記電力ランピングステップサイズの調整パラメータは、前記ＵＥがランダムアクセスを行うときの電力ランピングステップサイズのファクター又はオフセットを含み、
前記ランダムアクセスバックオフの調整パラメータは、ランダムアクセスバックオフのファクター又はオフセットを含む。
【００３４】
具体的には、前記スケーリングファクターには、ランダムアクセスに用いられるＵＥの最初送信プリアンブルＰＲＥＡＭＢＬＥの受信目標電力のファクター又はオフセット、ランダムアクセス電力ランピングステップサイズのファクター又はオフセット、及びランダムアクセスバックオフのファクター又はオフセットのうち少なくとも１つを含む。
【００３５】
また、ネットワーク側から送信されるのは一連のスケーリングファクター、つまり複数のＵＥの速度、又は複数のＵＥの速度範囲に対応する異なるスケーリングファクターであってもよく、そして、ＵＥは自体の現在の移動速度に基づいて、対応するスケーリングファクターを選択して今回のランダムアクセスの補正を行うスケーリングファクターとすると理解することもでき、つまり、これは以下のようである。
前記処理ユニット２２は、移動速度に基づいてそれに対応する速度範囲を確定し、
前記ＵＥに対応する速度範囲に基づいて、対応するスケーリングファクターを選択する。
【００３６】
ここで、ＵＥの速度は、相対値であってもよいし、ＵＥの速度の絶対値又は範囲であってもよく、１つのスケーリングファクター又はオフセットに対応する。例えば相対速度、例えば、ＵＥの移動状態の通常、中速、高速はそれぞれ１つのスケーリングファクター又はオフセットに対応する。ＵＥは速度がどのレベルかを判断し、どのファクターかを決定する。例えばａ  ｋｍ／ｈからｂ  ｋｍ／ｈまでのような絶対速度範囲は、１つのスケーリングファクター又はオフセットに対応し、ＵＥは、自体の実際の速度に基づいてどのスケーリングファクター又はオフセットを使用するかを決定する。
【００３７】
以下、前述のスケーリングファクターにおける様々なパラメータをどのように使用するかについて具体的に説明する。
【００３８】
１番目、最初送信プリアンブルの受信目標電力を補正する。
【００３９】
前記処理ユニット２２は、ＵＥがランダムにアクセスする最初送信プリアンブルの受信目標電力と、ランダムアクセスを行う最初送信プリアンブルの受信目標電力のファクターとの乗算により、補正後の最初送信プリアンブルの受信目標電力を取得し、
又は、
ＵＥがランダムにアクセスする最初送信プリアンブルの受信目標電力と、ランダムアクセスを行う最初送信プリアンブルの受信目標電力のオフセットとの加算により、補正後の最初送信プリアンブルの受信目標電力を取得する。
【００４０】
つまり、ＵＥは、ランダムアクセス過程に、ランダムにアクセスするＵＥの最初送信ＰＲＥＡＭＢＬＥの受信目標電力を補正し、ランダムにアクセスするＵＥの最初送信ＰＲＥＡＭＢＬＥの受信目標電力は、システムブロードキャスト内でブロードキャストされるランダムにアクセスするＵＥの最初送信ＰＲＥＡＭＢＬＥの受信目標電力×ランダムにアクセスするＵＥの最初送信ＰＲＥＡＭＢＬＥの受信目標電力のファクター、又は、システムブロードキャスト内でブロードキャストされるランダムアクセスのＵＥ最初送信ＰＲＥＡＭＢＬＥの受信目標電力＋ランダムにアクセスするＵＥの最初送信ＰＲＥＡＭＢＬＥの受信目標電力のオフセットに補正される。
【００４１】
２番目、ＵＥがランダムアクセスを行うときの電力ランピングステップサイズを補正する。
【００４２】
前記処理ユニット２２は、ＵＥがランダムアクセスを行うときの電力ランピングステップサイズと、ＵＥがランダムアクセスを行うときの電力ランピングステップサイズのファクターとの乗算により、補正後のＵＥがランダムアクセスを行うときの電力ランピングステップサイズを取得し、
又は、
ＵＥがランダムアクセスを行うときの電力ランピングステップサイズと、ＵＥがランダムアクセスを行うときの電力ランピングステップサイズのオフセットとの加算により、補正後のＵＥがランダムアクセスを行うときの電力ランピングステップサイズを取得する。
【００４３】
ここで、電力ランピングステップサイズは、ＵＥがランダムにアクセスする過程にランダムアクセスの電力ランピングステップサイズを補正したものとして理解することができる。相応して、ＵＥがランダムアクセス過程にランダムアクセスの電力ランピングステップサイズを補正し、ランダムアクセスの電力ランピングステップサイズは、システムブロードキャスト内でブロードキャストされるランダムアクセスの電力ランピングステップサイズ×ランダムアクセスの電力ランピングステップサイズのファクター、又は、システムブロードキャスト内でブロードキャストされるランダムアクセスの電力ランピングステップサイズ＋ランダムアクセスの電力ランピングステップサイズのオフセットに補正される。
【００４４】
３番目、ランダムアクセスバックオフ値を補正する。
【００４５】
このような補正処理には、２つの方法を含んでよい。１番目の方法は、処理ユニット２２が、ネットワーク側に指示されたランダムアクセスバックオフとランダムアクセスバックオフのファクターとの乗算により、補正後のランダムアクセスバックオフ基準値を取得し、又は、ネットワーク側に指示されたランダムアクセスバックオフとランダムアクセスバックオフのオフセットとの加算により、補正後のランダムアクセスバックオフ基準値を取得し、
補正後のランダムアクセスバックオフ基準値に基づいて、補正後のランダムアクセスバックオフ値を生成し、ただし、前記補正後のランダムアクセスバックオフ値が、ゼロより大きく、且つ前記補正後のランダムアクセスバックオフ基準値より小さい方法である。
【００４６】
つまり、ＵＥがランダムアクセス過程でランダムアクセスバックオフを補正し、ランダムアクセスバックオフ基準値は、ＲＡＲで指示されるランダムアクセスバックオフ×ランダムアクセスバックオフのファクター、又は、ＲＡＲで指示されるランダムアクセスバックオフ＋ランダムアクセスバックオフのオフセットであり、
続いて、補正後のランダムアクセスバックオフ基準値に基づいて、０から補正後のランダムアクセスバックオフ基準値の間にある１つのランダムアクセスバックオフ値をランダムに生成する。
【００４７】
２番目の方法は、
処理ユニット２２は、ランダムに生成されたランダムアクセスバックオフとランダムアクセスバックオフのファクターとの乗算により、補正後のランダムアクセスバックオフを取得し、
又は、ランダムに生成されたランダムアクセスバックオフとランダムアクセスバックオフのオフセットとの加算により、補正後のランダムアクセスバックオフを取得する方法である。
【００４８】
１番目の方法との相違点は、この方法がランダムアクセスバックオフを直接計算で取得することであり、つまり、ＵＥがランダムアクセス過程でランダムアクセスバックオフを補正し、ランダムアクセスバックオフは、ランダムに生成されたランダムアクセスバックオフ×ランダムアクセスバックオフのファクター、又は、ランダムに生成されたランダムアクセスバックオフ＋ランダムアクセスバックオフのオフセットに補正される。
【００４９】
以上の説明に基づいて、補正後の最初送信プリアンブルの受信目標電力、補正後のＵＥがランダムアクセスを行うときの電力ランピングステップサイズ、及び補正後のランダムアクセスバックオフを取得して、ランダムアクセス中にプリアンブルの送信処理を行うことができ、具体的には、
処理ユニット２２は、補正後の最初送信プリアンブルの受信目標電力及び補正後のＵＥがランダムアクセスを行うときの電力ランピングステップサイズのうち少なくとも１つに基づいて、プリアンブルの送信電力を確定し、補正後のランダムアクセスバックオフに基づいてプリアンブルの送信タイミングを確定する。
【００５０】
つまり、補正後のプリアンブルの受信目標電力と補正後のＵＥがランダムアクセスを行うときの電力ランピングステップサイズとの加算により、プリアンブルの送信電力を取得できる。もちろん、他の処理方法も存在し、ここでは網羅的な説明を行わない。
【００５１】
上記の態様を採用することにより、ＵＥの速度に基づいて対応するスケーリングファクターを確定し、さらにスケーリングファクターのうち、ＵＥがランダムアクセスを行う電力の調整パラメータ、ステップサイズの調整パラメータ、及びランダムアクセスバックオフの調整パラメータのうち少なくとも１つのパラメータに基づいてランダムアクセス処理を行うことができることがわかる。こうすることで、ランダムアクセスの過程とＵＥの速度とを組み合わせることができ、それによりランダムアクセス過程の進行速度を調整して、ネットワークに高速にアクセスし、移動ロバスト性を向上させる目的を実現する。
【００５２】
本開示の実施例は、さらに、ユーザ機器のハードウェアアーキテクチャを提供し、図３に示すように、それは、少なくとも１つのプロセッサ３１と、メモリ３２と、少なくとも１つのネットワークインターフェース３３とを含む。各コンポーネントは、バスシステム３４を介して一体に結合される。バスシステム３４は、これらのコンポーネントの間の接続及び通信を実施するために用いられることが理解できる。バスシステム３４は、データバス以外に、電源バス、制御バス、及びステータス信号バスも含む。しかし、説明を分かりやすくするために、図３では、各種のバスをバスシステム３４と表記している。
【００５３】
本開示の実施例におけるメモリ３２は、揮発性メモリであっても、不揮発性メモリであってもよく、又は揮発性メモリと不揮発性メモリの両方とも含んでもよいことが理解できる。
【００５４】
いくつかの実施形態において、メモリ３２には、モジュール若しくはデータ構造、又はそれらのサブセット、又はそれらの拡張セットを実行可能であるオペレーティングシステム３２１及びアプリケーションプログラム３２２が格納される。
【００５５】
ただし、前記プロセッサ３１は、前記の実施例１の方法のステップを処理できるように構成されており、ここでは詳細な説明を省略する。
【００５６】
本開示の実施例は、コンピュータ記憶媒体を提供し、前記コンピュータ記憶媒体には、コンピュータで実行可能なコマンドが格納され、前記コンピュータ実行可能なコマンドが実行されると、前記実施例１の方法のステップが実施される。
【００５７】
本開示の実施例にかかる装置は、ソフトウェア機能モジュールの形態で実装されると同時に、独立した製品として販売または使用される場合、コンピュータ可読記憶媒体に格納されてもよい。このような理解に基づいて、本開示の実施例の技術的解決手段は、本質上、又は既存の技術に貢献がある部分が、ソフトウェア製品の形態で具現化されることができ、当該コンピュータソフトウェア製品は、記憶媒体に格納され、コンピュータ機器（パソコン、サーバ、又はネットワーク機器など）に本開示の各実施例の前記方法の全部又は一部を実行させるためのいくつかのコマンドを含む。前記記憶媒体は、ＵＳＢフラッシュメモリ、ポータブルハードディスク、読み取り専用メモリ（Ｒｅａｄ  Ｏｎｌｙ  Ｍｅｍｏｒｙ、ＲＯＭ）、磁気ディスクもしくはコンパクトディスクなど、プロクラムコードを格納できる様々な媒体を含む。こうすると、本開示の実施例は、ハードウェアとソフトウェアのいかなる特定の組み合わせにも限定されない。
【００５８】
相応して、本開示の実施例は、さらに、コンピュータプログラムを格納するコンピュータ記憶媒体を提供し、当該コンピュータプログラムは、本開示の実施例の方法を実行するように構成される。
【００５９】
本開示の好ましい実施例は、例示するために開示されたが、当業者であれば、種々な改良、追加、及び置き換えも可能であることを理解でき、したがって、本開示の範囲は上記の実施例に限定されない。
【国際調査報告】
2021513761.tif 000006
2021513761.tif 000007
2021513761.tif 000008
2021513761.tif 000009